(57)【要約】【課題】ＣＣ（Component Carrier）間で共通のＳＲＳ（Sounding Reference Signal）設定情報を用いる場合で、上りリンク要素周波数帯域の範囲を超えてＳＲＳが割り当てられたときに、ＳＲＳを送信しないように制御する。【解決手段】複数の上りリンク要素周波数帯域にチャネル測定用の参照信号を割り当てる際に使用する前記各上りリンク要素周波数帯域で共通の参照信号設定情報を前記基地局装置から受信する移動局側受信部２０３と、前記受信した参照信号設定情報に示される参照信号の帯域幅が、上りリンク要素周波数帯域の帯域幅内に収まらない場合は、その上りリンク要素周波数帯域に割り当てられた前記参照信号の送信を停止する制御を行なう参照信号制御部２０５１と、前記制御に応じて前記参照信号を前記基地局装置に対して送信する移動局側送信部２０１と、を備える。【選択図】図２
2011142489.tif 000002
【特許請求の範囲】
【請求項１】
基地局装置に対してチャネル測定用の参照信号を送信する移動局装置であって、
複数の上りリンク要素周波数帯域にチャネル測定用の参照信号を割り当てる際に使用する前記各上りリンク要素周波数帯域で共通の参照信号設定情報を前記基地局装置から受信する移動局側受信部と、
前記受信した参照信号設定情報に示される参照信号の帯域幅が、上りリンク要素周波数帯域の帯域幅内に収まらない場合は、その上りリンク要素周波数帯域に割り当てられた前記参照信号の送信を停止する制御を行なう参照信号制御部と、
前記制御に応じて前記参照信号を前記基地局装置に対して送信する移動局側送信部と、を備えることを特徴とする移動局装置。
【請求項２】
基地局装置に対してチャネル測定用の参照信号を送信する移動局装置であって、
複数の上りリンク要素周波数帯域にチャネル測定用の参照信号を割り当てる際に使用する前記各上りリンク要素周波数帯域で共通の参照信号設定情報を前記基地局装置から受信する移動局側受信部と、
前記受信した参照信号設定情報に示される参照信号の帯域幅に基づいて、前記参照信号が前記各上りリンク要素周波数帯域の帯域幅内に収まるかどうかを判定し、前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なう参照信号制御部と、
前記判定の結果に応じて、いずれかの上りリンク要素周波数帯域に割り当てられた前記参照信号を前記基地局装置に対して送信する移動局側送信部と、を備えることを特徴とする移動局装置。
【請求項３】
前記参照信号制御部は、前記受信した参照信号設定情報に示される参照信号の帯域幅が、いずれかの上りリンク要素周波数帯域の帯域幅より広い場合は、その上りリンク要素周波数帯域に割り当てられた前記参照信号の送信を停止することを特徴とする請求項１または請求項２記載の移動局装置。
【請求項４】
前記参照信号制御部は、前記参照信号が、いずれかの上りリンク要素周波数帯域の帯域幅を超えて割り当てられた場合、その上りリンク要素周波数帯域に割り当てられた前記参照信号の送信を停止することを特徴とする請求項１または請求項２記載の移動局装置。
【請求項５】
前記参照信号設定情報は、前記参照信号に設定可能な複数の帯域幅を定める複数のインデックスから構成される帯域幅表を含み、
前記参照信号制御部は、前記参照信号に設定された前記帯域幅表中のインデックスの最大の帯域幅が、いずれかの上りリンク要素周波数帯域の帯域幅を超えている場合、その上りリンク要素周波数帯域に割り当てられた前記参照信号の送信を停止することを特徴とする請求項１または請求項２記載の移動局装置。
【請求項６】
前記参照信号制御部は、前記受信した参照信号設定情報により、前記参照信号の周波数ホッピングが設定されており、周波数ホッピングを行なう帯域幅が、いずれかの上りリンク要素周波数帯域の帯域幅を超えている場合、その上りリンク要素周波数帯域に割り当てられた前記参照信号の送信を停止することを特徴とする請求項１または請求項２記載の移動局装置。
【請求項７】
前記参照信号設定情報は、前記参照信号に設定可能な複数の帯域幅を定める複数のインデックスから構成される帯域幅表を含み、
前記参照信号制御部は、前記参照信号に設定された前記帯域幅表中のインデックスの最大の帯域幅が、いずれかの上りリンク要素周波数帯域の帯域幅を超えている場合、前記参照信号の最大の帯域幅が、その上りリンク要素周波数帯域の帯域幅以下となるように、前記帯域幅表におけるインデックスを変更することを特徴とする請求項１または請求項２記載の移動局装置。
【請求項８】
前記参照信号制御部は、前記判定の結果、前記参照信号が上りリンク要素周波数帯域の帯域幅内に収まらない場合は、前記参照信号のリソース割り当てに誤りが生じたと判断することを特徴とする請求項１または請求項２記載の移動局装置。
【請求項９】
前記移動局側送信部は、前記基地局装置に対して、前記参照信号のリソース割り当てに誤りが生じた旨を通知することを特徴とする請求項８記載の移動局装置。
【請求項１０】
移動局装置からチャネル測定用の参照信号を受信する基地局装置であって、
複数の上りリンク要素周波数帯域にチャネル測定用の参照信号を割り当てる際に使用する前記各上りリンク要素周波数帯域で共通の参照信号設定情報を設定する参照信号設定部と、
前記参照信号設定情報を前記移動局装置に対して送信する基地局側送信部と、
前記移動局装置から送信された参照信号を受信する基地局側受信部と、を備え、
前記参照信号設定部は、前記移動局装置から前記参照信号のリソース割り当てに誤りが生じた旨を通知された場合、前記参照信号設定情報を再設定することを特徴とする基地局装置。
【請求項１１】
請求項１から請求項９のいずれかに記載の移動局装置と、
請求項１０記載の基地局装置と、から構成されることを特徴とする無線通信システム。
【請求項１２】
基地局装置に対してチャネル測定用の参照信号を送信する移動局装置の通信方法であって、
移動局側受信部において、複数の上りリンク要素周波数帯域にチャネル測定用の参照信号を割り当てる際に使用する前記各上りリンク要素周波数帯域で共通の参照信号設定情報を、前記基地局装置から受信するステップと、
参照信号制御部において、前記受信した参照信号設定情報に示される参照信号の帯域幅に基づいて、前記参照信号が前記各上りリンク要素周波数帯域の帯域幅内に収まるかどうかを判定するステップと、
参照信号制御部において、前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なうステップと、
移動局側送信部において、前記判定の結果に応じて、いずれかの上りリンク要素周波数帯域に割り当てられた前記参照信号を前記基地局装置に対して送信するステップと、を少なくとも含むことを特徴とする通信方法。
【請求項１３】
参照信号制御部において、前記判定の結果、前記参照信号が上りリンク要素周波数帯域の帯域幅内に収まらない場合は、前記参照信号のリソース割り当てに誤りが生じたと判断するステップと、
移動局側送信部において、前記基地局装置に対して、前記参照信号のリソース割り当てに誤りが生じた旨を通知するステップと、をさらに含むことを特徴とする請求項１２記載の通信方法。
【請求項１４】
基地局装置に対してチャネル測定用の参照信号を送信する移動局装置の制御プログラムであって、
複数の上りリンク要素周波数帯域にチャネル測定用の参照信号を割り当てる際に使用する前記各上りリンク要素周波数帯域で共通の参照信号設定情報を、前記基地局装置から受信する処理と、
前記受信した参照信号設定情報に示される参照信号の帯域幅に基づいて、前記参照信号が前記各上りリンク要素周波数帯域の帯域幅内に収まるかどうかを判定する処理と、
前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なう処理と、
前記判定の結果に応じて、いずれかの上りリンク要素周波数帯域に割り当てられた前記参照信号を前記基地局装置に対して送信する処理と、の一連の処理を、コンピュータに読み取り可能および実行可能にコマンド化したことを特徴とする移動局装置の制御プログラム。
【請求項１５】
前記判定の結果、前記参照信号が上りリンク要素周波数帯域の帯域幅内に収まらない場合は、前記参照信号のリソース割り当てに誤りが生じたと判断する処理と、
前記基地局装置に対して、前記参照信号のリソース割り当てに誤りが生じた旨を通知する処理と、をさらに含むことを特徴とする請求項１４記載の移動局装置の制御プログラム。
【請求項１６】
移動局装置に実装されることにより、前記移動局装置に複数の機能を発揮させる集積回路であって、
複数の上りリンク要素周波数帯域にチャネル測定用の参照信号を割り当てる際に使用する前記各上りリンク要素周波数帯域で共通の参照信号設定情報を、前記基地局装置から受信する機能と、
前記受信した参照信号設定情報に示される参照信号の帯域幅に基づいて、前記参照信号が前記各上りリンク要素周波数帯域の帯域幅内に収まるかどうかを判定する機能と、
前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なう機能と、
前記判定の結果に応じて、いずれかの上りリンク要素周波数帯域に割り当てられた前記参照信号を前記基地局装置に対して送信する機能とを、前記移動局装置に発揮させることを特徴とする集積回路。
【請求項１７】
前記判定の結果、前記参照信号が上りリンク要素周波数帯域の帯域幅内に収まらない場合は、前記参照信号のリソース割り当てに誤りが生じたと判断する機能と、
前記基地局装置に対して、前記参照信号のリソース割り当てに誤りが生じた旨を通知する機能と、をさらに含むことを特徴とする請求項１６記載の集積回路。
【発明の詳細な説明】
【技術分野】
【０００１】
本発明は、移動局装置、基地局装置、無線通信システムに関し、特に複数の上りリンク要素周波数帯域間で共通のチャネル測定用の参照信号設定情報を適用した移動局装置のチャネル測定用の参照信号の送信制御方法に関する。
【背景技術】
【０００２】
標準化団体３ＧＰＰ（3rd Generation Partnership Project）において、第３世代の無線通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）、さらにその発展形のＡｄｖａｎｃｅｄ  ＥＵＴＲＡ（LTE-Advancedとも呼ばれる）の検討が進められている。Ａｄｖａｎｃｅｄ  ＥＵＴＲＡでは、上りリンク通信方式としてＳＣ−ＦＤＭＡ（Single Carrier-Frequency Division Multiple Access）方式が提案されている。
【０００３】
Ａｄｖａｎｃｅｄ  ＥＵＴＲＡでは、ＥＵＴＲＡとの互換性を維持しつつ、より高速なデータ伝送が可能な技術として、キャリアアグリゲーション（Carrier Aggregation：周波数帯域集約）が提案されている（非特許文献１）。キャリアアグリゲーションとは、送信装置と受信装置が、複数の要素周波数帯域（コンポーネントキャリア（CC:Component Carrier）やキャリア要素と称することもある）でデータを送受信することで、データレートを向上させる技術である。
【０００４】
ＥＵＴＲＡにおけるＳＲＳ（Sounding Reference Signal）の設定情報とは、移動局装置と基地局装置に設定されているＳＲＳ送信に関するパラメータのことであり、主に、移動局装置間で共通の設定情報と移動局装置固有の設定情報とがある。移動局装置間で共通の設定情報は、ＳＲＳの帯域幅表のインデックスや送信周期表のインデックスがあり、移動局装置固有の設定情報はＳＲＳの帯域幅表のレベルやホッピング帯域幅、サイクリックシフト、リソース割り当て位置（周波数ホッピングする場合は、リソース割り当ての初期位置）などがある。
【先行技術文献】
【非特許文献】
【０００５】
【非特許文献１】Ericsson,R1-082468,3GPP TSG-RAN1 Meeting #53bis,Warsaw,Poland,June 30-July 4,2008
【発明の概要】
【発明が解決しようとする課題】
【０００６】
しかしながら、非特許文献１記載のように、帯域幅の異なる複数の上りリンク要素周波数帯域に共通のＳＲＳ設定情報を適用すると、ＳＲＳ帯域幅が上りリンク要素周波数帯域の帯域幅より広く設定されてしまうことがあり、他の移動局装置や他セルの干渉になってしまうため、移動局装置がＳＲＳを送信しないように制御する必要がある。
【０００７】
本発明は、このような事情に鑑みてなされたものであり、ＣＣ間で共通のＳＲＳ設定情報を用いる場合で、上りリンク要素周波数帯域の範囲を超えてＳＲＳが割り当てられたときに、ＳＲＳを送信しないように制御する移動局装置、基地局装置、無線通信システム、通信方法、移動局装置の制御プログラムおよび集積回路を提供することを目的とする。
【課題を解決するための手段】
【０００８】
（１）上記の目的を達成するために、本発明は、以下のような手段を講じた。すなわち、本発明の移動局装置は、基地局装置に対してチャネル測定用の参照信号を送信する移動局装置であって、複数の上りリンク要素周波数帯域にチャネル測定用の参照信号を割り当てる際に使用する前記各上りリンク要素周波数帯域で共通の参照信号設定情報を前記基地局装置から受信する移動局側受信部と、前記受信した参照信号設定情報に示される参照信号の帯域幅が、上りリンク要素周波数帯域の帯域幅内に収まらない場合は、その上りリンク要素周波数帯域に割り当てられた前記参照信号の送信を停止する制御を行なう参照信号制御部と、前記制御に応じて前記参照信号を前記基地局装置に対して送信する移動局側送信部と、を備えることを特徴とする。
【０００９】
このように、移動局装置は、受信した参照信号設定情報に示される参照信号の帯域幅が、上りリンク要素周波数帯域の帯域幅内に収まらない場合は、その上りリンク要素周波数帯域に割り当てられた参照信号の送信を停止する制御を行なうので、自セルの他の移動局装置や他セル（他の上りリンク要素周波数帯域）の移動局装置の上りリンク信号に対する干渉を防ぐことができる。
【００１０】
（２）また、本発明の移動局装置は、基地局装置に対してチャネル測定用の参照信号を送信する移動局装置であって、複数の上りリンク要素周波数帯域にチャネル測定用の参照信号を割り当てる際に使用する前記各上りリンク要素周波数帯域で共通の参照信号設定情報を前記基地局装置から受信する移動局側受信部と、前記受信した参照信号設定情報に示される参照信号の帯域幅に基づいて、前記参照信号が前記各上りリンク要素周波数帯域の帯域幅内に収まるかどうかを判定し、前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なう参照信号制御部と、前記判定の結果に応じて、いずれかの上りリンク要素周波数帯域に割り当てられた前記参照信号を前記基地局装置に対して送信する移動局側送信部と、を備えることを特徴とする。
【００１１】
このように、移動局装置は、受信した参照信号設定情報に示される参照信号の帯域幅に基づいて、参照信号が各上りリンク要素周波数帯域の帯域幅内に収まるかどうかを判定し、判定の結果、参照信号が上りリンク要素周波数帯域の帯域幅内に収まる場合は、その上りリンク要素周波数帯域に割り当てられた参照信号を基地局装置に対して送信する一方、参照信号が上りリンク要素周波数帯域の帯域幅内に収まらない場合は、その上りリンク要素周波数帯域に割り当てられた参照信号の送信を停止する制御を行なうので、自セルの他の移動局装置や他セル（他の上りリンク要素周波数帯域）の移動局装置の上りリンク信号に対する干渉を防ぐことができる。
【００１２】
（３）また、本発明の移動局装置において、前記参照信号制御部は、前記受信した参照信号設定情報に示される参照信号の帯域幅が、いずれかの上りリンク要素周波数帯域の帯域幅より広い場合は、その上りリンク要素周波数帯域に割り当てられた前記参照信号の送信を停止することを特徴とする。
【００１３】
このように、移動局装置は、受信した参照信号設定情報に示される参照信号の帯域幅が、いずれかの上りリンク要素周波数帯域の帯域幅より広い場合は、その上りリンク要素周波数帯域に割り当てられた参照信号の送信を停止するので、自セルの他の移動局装置や他セル（他の上りリンク要素周波数帯域）の移動局装置の上りリンク信号に対する干渉を防ぐことができる。
【００１４】
（４）また、本発明の移動局装置において、前記参照信号制御部は、前記参照信号が、いずれかの上りリンク要素周波数帯域の帯域幅を超えて割り当てられた場合、その上りリンク要素周波数帯域に割り当てられた前記参照信号の送信を停止することを特徴とする。
【００１５】
このように、移動局装置は、参照信号が、いずれかの上りリンク要素周波数帯域の帯域幅を超えて割り当てられた場合、その上りリンク要素周波数帯域に割り当てられた参照信号の送信を停止するので、他セル（他の上りリンク周波数帯域）へ対する干渉を防ぐことができる。
【００１６】
（５）また、本発明の移動局装置において、前記参照信号設定情報は、前記参照信号に設定可能な複数の帯域幅を定める複数のインデックスから構成される帯域幅表を含み、前記参照信号制御部は、前記参照信号に設定された前記帯域幅表中のインデックスの最大の帯域幅が、いずれかの上りリンク要素周波数帯域の帯域幅を超えている場合、その上りリンク要素周波数帯域に割り当てられた前記参照信号の送信を停止することを特徴とする。
【００１７】
このように、移動局装置は、参照信号に設定された帯域幅表中のインデックスの最大の帯域幅が、いずれかの上りリンク要素周波数帯域の帯域幅を超えている場合、その上りリンク要素周波数帯域に割り当てられた参照信号の送信を停止するので、他セルへの干渉を避けることができる。
【００１８】
（６）また、本発明の移動局装置において、前記参照信号制御部は、前記受信した参照信号設定情報により、前記参照信号の周波数ホッピングが設定されており、周波数ホッピングを行なう帯域幅が、いずれかの上りリンク要素周波数帯域の帯域幅を超えている場合、その上りリンク要素周波数帯域に割り当てられた前記参照信号の送信を停止することを特徴とする。
【００１９】
このように、移動局装置は、周波数ホッピングを行なう帯域幅が、いずれかの上りリンク要素周波数帯域の帯域幅を超えている場合、その上りリンク要素周波数帯域に割り当てられた参照信号の送信を停止するので、他セルへの干渉を避けることができる。
【００２０】
（７）また、本発明の移動局装置において、前記参照信号設定情報は、前記参照信号に設定可能な複数の帯域幅を定める複数のインデックスから構成される帯域幅表を含み、前記参照信号制御部は、前記参照信号に設定された前記帯域幅表中のインデックスの最大の帯域幅が、いずれかの上りリンク要素周波数帯域の帯域幅を超えている場合、前記参照信号の最大の帯域幅が、その上りリンク要素周波数帯域の帯域幅以下となるように、前記帯域幅表におけるインデックスを変更することを特徴とする。
【００２１】
このように、参照信号に設定された帯域幅表中のインデックスの最大の帯域幅が、いずれかの上りリンク要素周波数帯域の帯域幅を超えている場合、参照信号の最大の帯域幅が、その上りリンク要素周波数帯域の帯域幅以下となるように、帯域幅表におけるインデックスを変更するので、移動局装置は、ＳＲＳを上りリンク要素周波数帯域内に割り当てやすくなる。
【００２２】
（８）また、本発明の移動局装置において、前記参照信号制御部は、前記判定の結果、前記参照信号が上りリンク要素周波数帯域の帯域幅内に収まらない場合は、前記参照信号のリソース割り当てに誤りが生じたと判断することを特徴とする。
【００２３】
このように、移動局装置は、判定の結果、参照信号が上りリンク要素周波数帯域の帯域幅内に収まらない場合は、参照信号のリソース割り当てに誤りが生じたと判断するので、この判断に基づいて、基地局装置に参照信号設定情報の再設定要求をすることができる。
【００２４】
（９）また、本発明の移動局装置において、前記移動局側送信部は、前記基地局装置に対して、前記参照信号のリソース割り当てに誤りが生じた旨を通知することを特徴とする。
【００２５】
このように、移動局装置が基地局装置に対して、参照信号のリソース割り当てに誤りが生じた旨を通知するので、基地局装置は、移動局装置からの参照信号設定情報の再設定要求に基づいて、参照信号設定情報の再設定を行なうことができる。
【００２６】
（１０）また、本発明の基地局装置は、移動局装置からチャネル測定用の参照信号を受信する基地局装置であって、複数の上りリンク要素周波数帯域にチャネル測定用の参照信号を割り当てる際に使用する前記各上りリンク要素周波数帯域で共通の参照信号設定情報を設定する参照信号設定部と、前記参照信号設定情報を前記移動局装置に対して送信する基地局側送信部と、前記移動局装置から送信された参照信号を受信する基地局側受信部と、を備え、前記参照信号設定部は、前記移動局装置から前記参照信号のリソース割り当てに誤りが生じた旨を通知された場合、前記参照信号設定情報を再設定することを特徴とする。
【００２７】
このように、基地局装置は、移動局装置から参照信号のリソース割り当てに誤りが生じた旨を通知された場合、参照信号設定情報を再設定するので、この参照信号の再設定情報を移動局装置に通知することにより、移動局装置は、参照信号を再設定することができる。
【００２８】
（１１）また、本発明の無線通信システムは、（１）から（９）のいずれかに記載の移動局装置と、（１０）記載の基地局装置と、から構成されることを特徴とする。
【００２９】
このように、無線通信システムが（１）から（９）のいずれかに記載の移動局装置と、（１０）記載の基地局装置と、から構成されるので、移動局装置は、自セルの他の移動局装置や他セル（他の上りリンク要素周波数帯域）の移動局装置の上りリンク信号に対する干渉を防ぐことができる。
【００３０】
（１２）また、本発明の通信方法は、基地局装置に対してチャネル測定用の参照信号を送信する移動局装置の通信方法であって、移動局側受信部において、複数の上りリンク要素周波数帯域にチャネル測定用の参照信号を割り当てる際に使用する前記各上りリンク要素周波数帯域で共通の参照信号設定情報を、前記基地局装置から受信するステップと、参照信号制御部において、前記受信した参照信号設定情報に示される参照信号の帯域幅に基づいて、前記参照信号が前記各上りリンク要素周波数帯域の帯域幅内に収まるかどうかを判定するステップと、参照信号制御部において、前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なうステップと、移動局側送信部において、前記判定の結果に応じて、いずれかの上りリンク要素周波数帯域に割り当てられた前記参照信号を前記基地局装置に対して送信するステップと、を少なくとも含むことを特徴とする。
【００３１】
このように、移動局装置は、判定の結果、参照信号が上りリンク要素周波数帯域の帯域幅内に収まる場合は、その上りリンク要素周波数帯域に割り当てられた参照信号を基地局装置に対して送信する一方、参照信号が上りリンク要素周波数帯域の帯域幅内に収まらない場合は、その上りリンク要素周波数帯域に割り当てられた参照信号の送信を停止する制御を行なうので、自セルの他の移動局装置や他セル（他の上りリンク要素周波数帯域）の移動局装置の上りリンク信号に対する干渉を防ぐことができる。
【００３２】
（１３）また、本発明の通信方法において、参照信号制御部において、前記判定の結果、前記参照信号が上りリンク要素周波数帯域の帯域幅内に収まらない場合は、前記参照信号のリソース割り当てに誤りが生じたと判断するステップと、移動局側送信部において、前記基地局装置に対して、前記参照信号のリソース割り当てに誤りが生じた旨を通知するステップと、をさらに含むことを特徴とする。
【００３３】
このように、移動局装置は、判定の結果、参照信号が上りリンク要素周波数帯域の帯域幅内に収まらない場合は、参照信号のリソース割り当てに誤りが生じたと判断するので、この参照信号リソース割り当て誤りの情報を基地局装置に通知することにより、基地局装置に参照信号設定情報の再設定要求をすることができる。
【００３４】
（１４）また、本発明の移動局装置の制御プログラムは、基地局装置に対してチャネル測定用の参照信号を送信する移動局装置の制御プログラムであって、複数の上りリンク要素周波数帯域にチャネル測定用の参照信号を割り当てる際に使用する前記各上りリンク要素周波数帯域で共通の参照信号設定情報を、前記基地局装置から受信する処理と、前記受信した参照信号設定情報に示される参照信号の帯域幅に基づいて、前記参照信号が前記各上りリンク要素周波数帯域の帯域幅内に収まるかどうかを判定する処理と、前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なう処理と、前記判定の結果に応じて、いずれかの上りリンク要素周波数帯域に割り当てられた前記参照信号を前記基地局装置に対して送信する処理と、の一連の処理を、コンピュータに読み取り可能および実行可能にコマンド化したことを特徴とする。
【００３５】
このように、移動局装置は、判定の結果、参照信号が上りリンク要素周波数帯域の帯域幅内に収まる場合は、その上りリンク要素周波数帯域に割り当てられた参照信号を基地局装置に対して送信する一方、参照信号が上りリンク要素周波数帯域の帯域幅内に収まらない場合は、その上りリンク要素周波数帯域に割り当てられた参照信号の送信を停止する制御を行なうので、自セルの他の移動局装置や他セル（他の上りリンク要素周波数帯域）の移動局装置の上りリンク信号に対する干渉を防ぐことができる。
【００３６】
（１５）また、本発明の移動局装置の制御プログラムにおいて、前記判定の結果、前記参照信号が上りリンク要素周波数帯域の帯域幅内に収まらない場合は、前記参照信号のリソース割り当てに誤りが生じたと判断する処理と、前記基地局装置に対して、前記参照信号のリソース割り当てに誤りが生じた旨を通知する処理と、をさらに含むことを特徴とする。
【００３７】
このように、移動局装置は、判定の結果、参照信号が上りリンク要素周波数帯域の帯域幅内に収まらない場合は、参照信号のリソース割り当てに誤りが生じたと判断するので、この判断に基づいて、基地局装置に参照信号設定情報の再設定要求をすることができる。
【００３８】
（１６）また、本発明の集積回路は、移動局装置に実装されることにより、前記移動局装置に複数の機能を発揮させる集積回路であって、複数の上りリンク要素周波数帯域にチャネル測定用の参照信号を割り当てる際に使用する前記各上りリンク要素周波数帯域で共通の参照信号設定情報を、前記基地局装置から受信する機能と、前記受信した参照信号設定情報に示される参照信号の帯域幅に基づいて、前記参照信号が前記各上りリンク要素周波数帯域の帯域幅内に収まるかどうかを判定する機能と、前記判定の結果、前記参照信号が上りリンク要素周波数帯域の帯域幅内に収まる場合は、その上りリンク要素周波数帯域に割り当てられた前記参照信号を前記基地局装置に対して送信する一方、前記参照信号が上りリンク要素周波数帯域の帯域幅内に収まらない場合は、その上りリンク要素周波数帯域に割り当てられた前記参照信号の送信を停止する制御を行なう機能と、前記判定の結果に応じて、いずれかの上りリンク要素周波数帯域に割り当てられた前記参照信号を前記基地局装置に対して送信する機能とを、前記移動局装置に発揮させることを特徴とする。
【００３９】
このように、移動局装置は、判定の結果、参照信号が上りリンク要素周波数帯域の帯域幅内に収まる場合は、その上りリンク要素周波数帯域に割り当てられた参照信号を基地局装置に対して送信する一方、参照信号が上りリンク要素周波数帯域の帯域幅内に収まらない場合は、その上りリンク要素周波数帯域に割り当てられた参照信号の送信を停止する制御を行なうので、自セルの他の移動局装置や他セル（他の上りリンク要素周波数帯域）の移動局装置の上りリンク信号に対する干渉を防ぐことができる。
【００４０】
（１７）また、本発明の集積回路において、前記判定の結果、前記参照信号が上りリンク要素周波数帯域の帯域幅内に収まらない場合は、前記参照信号のリソース割り当てに誤りが生じたと判断する機能と、前記基地局装置に対して、前記参照信号のリソース割り当てに誤りが生じた旨を通知する機能と、をさらに含むことを特徴とする。
【００４１】
このように、移動局装置は、判定の結果、参照信号が上りリンク要素周波数帯域の帯域幅内に収まらない場合は、参照信号のリソース割り当てに誤りが生じたと判断するので、この判断に基づいて、基地局装置に参照信号設定情報の再設定要求をすることができる。
【発明の効果】
【００４２】
本発明によれば、ＣＣ間で共通のＳＲＳ設定情報を用いる場合で、上りリンク要素周波数帯域の範囲を超えてＳＲＳが割り当てられた時に、ＳＲＳが他の上りリンク要素周波数帯域に割り当てられている移動局装置の上りリンク信号と干渉することを回避することができる。
【図面の簡単な説明】
【００４３】
【図１】本発明の基地局装置１の概略機能構成を示すブロック図である。
【図２】本発明の移動局装置３の概略機能構成を示すブロック図である。
【図３】本発明の第１の実施形態におけるＳＲＳリソース割り当てを示す概略図である。
【図４】本発明の第１の実施形態に係る移動局装置３のＳＲＳ送信制御方法を示すフローチャートである。
【図５】本発明の第２の実施形態におけるＳＲＳリソース割り当てを示す概略図である。
【図６】本発明の第２の実施形態に係る移動局装置３のＳＲＳ送信制御方法を示すフローチャートである。
【図７】本発明の第３の実施形態におけるＳＲＳリソース割り当てを示す概略図である。
【図８】本発明の第３の実施形態に係る移動局装置３のＳＲＳ送信制御方法を示すフローチャートである。
【図９】本発明の第４の実施形態におけるＳＲＳリソース割り当てを示す概略図である。
【図１０】本発明の第４の実施形態に係る移動局装置３のＳＲＳ送信制御方法を示すフローチャートである。
【図１１】本発明の第５の実施形態におけるＳＲＳリソース割り当てを示す概略図である。
【図１２】本発明の第５の実施形態に係る移動局装置３と基地局装置１のＳＲＳ再設定要求手順を示すシーケンスチャートである。
【図１３】ＳＲＳのリソース割り当てと周波数ホッピング（FH:Frequency Hopping）の概略構成を示す図である。
【図１４】表１のインデックスａ０を選択した時のＳＲＳのツリー構造の概略構成を示す図である。
【発明を実施するための形態】
【００４４】
各実施形態の具体的な説明に入る前に、本発明に用いられる通信技術の概要について簡単に説明する。
（物理チャネル）
ＥＵＴＲＡおよびＡｄｖａｎｃｅｄ  ＥＵＴＲＡで使用される物理チャネルには、物理報知チャネル、下りリンクデータチャネル、下りリンク制御チャネル、下りリンク参照信号、上りリンクデータチャネル、上りリンク制御チャネル、ランダムアクセスチャネル、上りリンク参照信号などが含まれる。ＥＵＴＲＡおよびＡｄｖａｎｃｅｄ  ＥＵＴＲＡにおいて、物理チャネルの種類が今後追加されたり、または、チャネル構造が変更されたりする可能性もあるが、このような変更がなされた場合でも、後述する本発明の各実施形態を適用可能である。
【００４５】
物理報知チャネル（PBCH:Physical Broadcast Channel）は、セル内の移動局装置で共通に用いられる制御パラメータ（報知情報）を通知する目的で送信される。物理報知情報チャネルで通知されない報知情報は、物理下りリンク制御チャネルで無線リソースが通知され、物理下りリンクデータチャネルを用いて送信される。報知情報として、セル個別のＩＤ（Identity）を示すセルグローバルＩＤなどが通知される。
【００４６】
物理下りリンク制御チャネル（PDCCH:Physical Downlink Control Channel）は、基地局装置から移動局装置へ送信される下りリンクチャネルであり、複数の移動局装置に対して共通に使用される。基地局装置は、送信タイミング情報やスケジューリング情報（上りリンク／下りリンクリソース割り当て情報）の送信に下りリンク制御チャネルを用いる。物理下りリンクデータチャネル（PDSCH:Physical Downlink Shared Channel）は、下りリンクデータまたはページング情報を送信するために使用されるチャネルである。
【００４７】
下りリンク参照信号（DL-RS:Downlink Reference Signal、またはCell-specific Reference Signal）は、基地局装置から移動局装置へ下りリンクチャネルを利用して送信される。移動局装置は下りリンク参照信号を測定することで下りリンクの受信品質を判定する。受信品質は、品質情報指標であるＣＱＩ（Channel Quality Indicator：チャネル品質指標）として物理上りリンク制御チャネル（PUCCH:Physical Uplink Control Channel）を用いて基地局装置へ通知される。基地局装置は移動局装置から通知されたＣＱＩに基づいて、移動局装置に対する下りリンク通信のスケジューリングを行なう。
【００４８】
なお、受信品質としては、ＳＩＲ（Signal-to-Interference Ratio：信号対干渉電力比）、ＳＩＮＲ（Signal-to-Interference plus Noise Ratio：信号対干渉雑音電力比）、ＳＮＲ（Signal-to-Noise Ratio：信号対雑音電力比）、ＣＩＲ（Carrier-to-Interference Ratio：搬送波対干渉電力比）、ＢＬＥＲ（Block Error Rate：ブロック誤り率）、パスロスなどを使用することができる。
【００４９】
物理上りリンクデータチャネル（PUSCH:Physical Uplink Shared Channel）は、主に上りリンクデータ（UL-SCH:Uplink Shared Channel）を送信するために使用されるチャネルである。基地局装置が、移動局装置をスケジューリングした場合には、チャネル状態情報（下りリンクのチャネル品質指標CQI）、プレコーディングマトリックス指標（PMI:Precoding Matrix Indicator）、ランク指標（RI:Rank Indicator）や下りリンク送信に対するハイブリッド自動再送要求（HARQ:Hybrid Automatic Repeat reQuest）の肯定応答（ACK:Acknowledgement）／否定応答（NACK:Negative Acknowledgement）も物理上りリンクデータチャネル（PUSCH）を使用して送信される。
【００５０】
ここで、上りリンクデータ（UL-SCH）とは、例えば、ユーザデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングが利用可能である。ＵＬ−ＳＣＨは、動的なリソース割り当て、および、準静的なリソース割り当てがサポートされる。
【００５１】
物理上りリンク制御チャネル（PUCCH:Physical Uplink Control Channel）は、制御データを送信するために使用されるチャネルである。ここで制御データとは、例えば、移動局装置から基地局装置へ送信（フィードバック）されるチャネル状態情報（CQI、PMI、RI）、移動局装置が、上りリンクデータを送信するためのリソースの割り当てを要求する（UL-SCHでの送信を要求する）スケジューリング要求（SR:Scheduling Request）、下りリンク送信に対するＨＡＲＱのＡＣＫ／ＮＡＣＫなどが含まれる。
【００５２】
物理ランダムアクセスチャネル（PRACH:Physical Random Access Channel）は、ランダムアクセスプリアンブルを送信するために使用される物理チャネルであり、ガードタイムを持つ。ＰＲＡＣＨは、移動局装置が基地局装置と同期をとることを最大の目的とし、その他に、初期アクセス、ハンドオーバ、再接続要求、およびスケジューリング要求に用いられる。
【００５３】
上りリンク参照信号（UL-RS:Uplink Reference Signal）は、移動局装置から基地局装置へ送信される。ＵＬ−ＲＳには、サウンディング参照信号（SRS:Sounding Reference Signal）とデモジュレーション参照信号（DM-RS:Demodulation Reference Signal）とがある。チャネル測定用の参照信号であるサウンディング参照信号は、基地局装置が測定することで、移動局装置の上りリンク無線送信信号の受信品質の判断をし、受信品質に基づく上りリンクのスケジューリングや、上りリンクタイミング同期の調整に用いられる参照信号である。また、デモジュレーション参照信号は、上りリンクデータチャネルと共に送信され、上りリンクデータチャネルの信号の振幅、位相や周波数の変動量を計算し、上りリンクデータチャネルを利用して送信された信号を復調するための参照信号としても使用される。ＤＭ−ＲＳのために割り当てられる送信帯域幅は、上りリンクデータチャネルの送信帯域幅と一致するが、ＳＲＳのために割り当てられる送信帯域幅は、基地局装置によって上りリンクシステム帯域幅に応じて決定される。また、ＳＲＳには、時間軸方向に対して周波数ホッピングが適用される。この周波数ホッピングを用いることで、周波数ダイバーシティ効果と干渉の平均化効果が得られる。
【００５４】
（SRSのリソース割り当ておよび周波数ホッピング）
図１３は、ＳＲＳのリソース割り当てと周波数ホッピング（FH:Frequency Hopping）の概略構成を示す図である。同図において横軸は時間であり、縦軸は周波数である。同図左側は、ＳＲＳのリソース割り当ての一例を示している。同図左側の例において、時間軸方向に１４個のシンボルが並んでいる。７個のシンボルが１スロットに相当し、１スロットの長さは０．５ミリ秒（ms）である。また、１４個のシンボル（２スロットに相当）が１サブフレームに相当し、１サブフレームの長さは１ミリ秒である。このように１サブフレームが１４シンボルで構成される上りリンク信号において、ＳＲＳは１４番目のシンボルに割り当てられる。１４番目のシンボルに割り当てられるＳＲＳのリソース（周波数方向の帯域幅）は、上りリンクシステム帯域幅や移動局装置の送信電力に応じて、設定される。また、ＰＲＡＣＨは送信するメッセージの種類やフォーマットに応じて、帯域幅や時間シンボル長を変更して割り当てることができる。
【００５５】
また、時間軸方向に対しては、送信する度に周波数位置を変更する周波数ホッピングが適用される。同図右側は、ＳＲＳの周波数ホッピングの一例を示す。同図右側において、送信周期Ｔ毎にＳＲＳが送信されるが、図に示すように、周期Ｔ毎に（つまり送信する度に）周波数方向にホッピングを行なう。
【００５６】
（SRS設定情報）
ＥＵＴＲＡにおけるＳＲＳの設定情報とは、移動局装置と基地局装置に設定されているＳＲＳ送信に関するパラメータのことであり、主に、移動局装置間で共通の設定情報と移動局装置固有の設定情報とがある。移動局装置間で共通の設定情報は、ＳＲＳの帯域幅表のインデックスや送信周期表のインデックスがあり、移動局装置固有の設定情報はＳＲＳの帯域幅表のレベルやホッピング帯域幅、サイクリックシフト、リソース割り当て位置（周波数ホッピングする場合は、リソース割り当ての初期位置）などがある。これらを設定することにより、ＳＲＳの帯域幅や周波数ホッピング位置、送信周期などを設定することができる。ＳＲＳ設定情報は、予めシステムで一意に決定されていても良いし、報知情報として基地局装置から移動局装置に一斉に通知されても良いし、基地局装置から個別の移動局装置へ通知されても良い。
【００５７】
【表１】
2011142489.tif 000003
表１は、ＳＲＳ帯域幅のテーブル（表）の一例である。例えば、本表に示すように、所定の帯域幅ｃ００〜ｃ７３と所定の分割数（分岐数）ｄ００〜ｄ７３とを管理するため、行ａ０から行ａ７と、列ｂ０から列ｂ３までの８行４列のテーブルで示している。なお、本表では、８行４列のテーブルで示しているが、行数や列数が異なるテーブルを用いて管理しても良い。行ａ０〜ａ７が帯域幅のインデックスであり、列ｂ０〜ｂ３がインデックスに含まれる４段階のレベルである。ＳＲＳの帯域幅は、ａとｂの組み合わせにより（ｃ００、ｄ００）〜（ｃ７３、ｄ７３）のセットを設定でき、このセットを基に、移動局装置はＳＲＳを生成することができる。ここで、ｃ００〜ｃ７３はＳＲＳ帯域幅を表し、ｄ００〜ｄ７３はその帯域幅におけるＳＲＳ帯域幅表のインデックスのツリー構造で使用する分割数（分岐数）を表している。この分割数（分岐数）は周波数ホッピングを行なう時のＳＲＳのリソース割り当て位置や周波数ホッピング位置を算出するのに使用されるパラメータである。
【００５８】
ＥＵＴＲＡのＳＲＳの帯域幅は、８行４列のテーブル（SRS帯域幅表）で管理されており、上りリンク要素周波数帯域の帯域幅（上りリンクシステム帯域幅）に応じた４つのテーブルが設定されている。テーブル毎に８種類のインデックスが設定されており、１つのセル（上りリンク要素周波数帯域）に割り当てられた複数の移動局装置に共通のインデックスが割り当てられる。さらに、インデックス毎に４レベルのＳＲＳ帯域幅と分割数が設定されており、基地局装置は、移動局装置毎に当該移動局装置の送信電力や移動局装置多重（ユーザ多重）等を考慮して実際に割り当てるＳＲＳの帯域幅のレベルを設定することで当該移動局装置のＳＲＳ帯域幅を設定することができる。すなわち、ＳＲＳ帯域幅表のインデックスはセル内の移動局装置間で共通で設定され、ＳＲＳ帯域幅表のレベルは移動局装置毎に設定される。
【００５９】
一例として、表１のＳＲＳ帯域幅表の行ａ０・列ｂ２の位置には、ＳＲＳ帯域幅の設定情報の値のセットである（ｃ０２、ｄ０２）という設定情報が記録されている。基地局装置がＳＲＳの帯域幅の設定情報として（ｃ０２、ｄ０２）を設定した時、基地局装置は、移動局装置に対して帯域幅インデックスａ０と帯域幅レベルｂ２という値を通知する。この通知を受けた移動局装置は、予め基地局装置との間で共有しているＳＲＳ帯域幅表から行ａ０・列ｂ２で表される位置に設定されている帯域幅設定情報（ｃ０２、ｄ０２）に基づいてＳＲＳを生成する。
【００６０】
なお、ＳＲＳ帯域幅表に記憶される値（上記においてはｃ００〜ｃ７３およびｄ００〜ｄ７３）としていかなる種類のパラメータを設定するかは、任意である。例えば、ａ０〜ａ７を帯域幅表のインデックス、ｂ０〜ｂ３を帯域幅表のレベルとした時、パラメータｃ００〜ｃ７３をＳＲＳ帯域幅とし、パラメータｄ００〜ｄ７３をＳＲＳリソース割り当て位置や周波数ホッピング位置を算出するのに使用する分割数（分岐数）とすることもできる。
【００６１】
図１４は、表１のインデックスａ０を選択した時のＳＲＳのツリー構造の概略構成を示す図である。ｂ０は、選択したＳＲＳ帯域幅表のインデックスａ０の最大帯域幅ｃ００を有している。また、分割数（分岐数）ｄ００は、ｃ００を分割（分岐）しないため、分割数ｄ００は１となる。ｂ１で設定されている帯域幅ｃ０１はｂ０で設定されている帯域幅ｃ００を２分割した帯域幅である。そのため、帯域幅ｃ０１はｃ００の半分になる。また、ｃ０１はｃ００を２分割しているので分割数ｄ０１は２となる。ｂ２で設定されている帯域幅ｃ０２はさらにｂ１で設定されている帯域幅ｃ０１を２分割しているため、分割数ｄ０２は２となる。ｂ３についても同様に考えられ、ｂ３に設定されている帯域幅ｃ０３はｂ２の帯域幅ｃ０２を３分割した帯域幅であるため、分割数ｄ０３は３となる。すなわち、分割数は設定されたレベルのＳＲＳ帯域幅とそれより１つ上のレベルのＳＲＳ帯域幅の比と一致している（例えば、ｃ００＝ｃ０１＊ｄ０１という等式が成り立つように各パラメータを設定できる）。
【００６２】
また、基地局装置は、ＳＲＳ帯域幅表を用いて、ＳＲＳにより上りリンク要素周波数帯域内のチャネル測定を行なう帯域幅であるホッピング帯域幅を設定することもできる。ホッピング帯域幅レベル（ｂ＿ｈｏｐ０〜ｂ＿ｈｏｐ３）は、ＳＲＳ帯域幅表のインデックスに設定されている４段階のレベル（ｂ０〜ｂ３）に相当し、移動局装置は、ホッピング帯域幅がＳＲＳ帯域幅より広い場合には、ＳＲＳを周波数ホッピングするように制御することができる。また、移動局装置は、ホッピング帯域幅がＳＲＳ帯域幅より狭い場合にはＳＲＳを周波数ホッピングしないように制御する。ＳＲＳのホッピング帯域幅が設定されることにより、ＳＲＳが常に全帯域幅をカバーするようにホッピングすることが可能となるだけでなく、カバー帯域を制限してホッピングすることもできる。以下、本発明の実施形態について図面を参照して説明する。
【００６３】
＜第１の実施形態＞
第１の実施形態について以下に説明する。第１の実施形態では、複数の上りリンク要素周波数帯域にサウンディング参照信号（チャネル測定用の参照信号）を設定する際に、上りリンク要素周波数帯域間で共通の設定情報を設定すると、チャネル測定用の参照信号の帯域幅が上りリンク要素周波数帯域の帯域幅を超えて設定されることがあるため、このような場合には、移動局装置はチャネル測定用の参照信号を送信しないように制御することで、自セルの他の移動局装置や他セル（他の上りリンク要素周波数帯域）の移動局装置の上りリンク信号に対する干渉を防ぐことができる。
【００６４】
図１は、本発明の基地局装置１の概略機能構成を示すブロック図である。基地局装置１は、送信部（基地局側送信部）１０１と、受信部（基地局側受信部）１０３と、スケジューリング部１０５と、上位層（無線リソース制御部）１０７と、アンテナ１０９とを含んでいる。送信部１０１は、データ制御部１０１１と、変調部１０１３と、無線送信部１０１５とを含んでいる。また、受信部１０３は、無線受信部１０３１と、復調部１０３３と、データ抽出部１０３５とを含んでいる。
【００６５】
データ制御部１０１１は、ユーザデータと制御データとを入力し、スケジューリング部１０５からの指示により、制御データをＰＤＣＣＨに配置し、各移動局装置に対する送信データや制御データをＰＤＳＣＨに配置する。変調部１０１３は、データ変調、入力信号の直列／並列変換、ＩＦＦＴ、ＣＰ挿入、フィルタリングなどの信号処理を行ない、送信信号を生成する。無線送信部１０１５は、変調されたデータを無線周波数にアップコンバードした後に、アンテナ１０９を介して、移動局装置に送信する。無線受信部１０３１は、移動局装置からの上りリンクの信号を受信し、ベースバンド信号にダウンコンバートして、受信データを復調部１０３３に出力する。
【００６６】
データ抽出部１０３５は、受信データの正誤を確認し、確認結果をスケジューリング部１０５に通知する。データ抽出部１０３５は、受信データが正しい場合、受信データをユーザデータと制御データに分離する。データ抽出部１０３５は、制御データの中で下りリンクのチャネル状態情報、下りリンクデータの成／否（ACK/NACK）などの第２層の制御データはスケジューリング部１０５に出力し、その他の第３層等の制御データとユーザデータは上位層（無線リソース制御部）１０７に出力する。データ抽出部１０３５は、受信データが誤りの場合、再送データと合成するために保存しておき、再送データを受信した時に合成処理を行なう。
【００６７】
スケジューリング部１０５は、ユーザデータや制御データをＰＤＳＣＨやＰＤＣＣＨに配置するためのスケジューリングを行なう。また、スケジューリング部１０５は、参照信号設定部１０５１を有する。参照信号設定部１０５１は、自セル内の複数の移動局装置のスケジューリングや送信電力等を考慮して、ＳＲＳの帯域幅や送信周期などの各種パラメータである参照信号設定情報を設定する。
【００６８】
上位層（無線リソース制御部）１０７は、媒体メディア制御（MAC:Medium Access Control）層、無線リンク制御（RLC:Radio Link Control）層、パケットデータ収束プロトコル（PDCP:Packet Data Convergence Protocol）層、無線リソース制御（RRC:Radio Resource Control）層の処理を行なう。上位層（無線リソース制御部）１０７は、下位層の処理部を統合して制御するため、上位層（無線リソース制御部）１０７と、スケジューリング部１０５、アンテナ１０９、送信部１０１、受信部１０３との間のインターフェースが存在する（ただし、図示しない）。
【００６９】
図２は、本発明の移動局装置３の概略機能構成を示すブロック図である。移動局装置３は、送信部（移動局側送信部）２０１と、受信部（移動局側受信部）２０３と、スケジューリング部２０５と、上位層（無線リソース制御部）２０７と、アンテナ２０９とを含んでいる。送信部２０１は、データ制御部２０１１と、変調部２０１３と、無線送信部２０１５とを含んでいる。また、受信部２０３は、無線受信部２０３１と、復調部２０３３と、データ抽出部２０３５とを含んでいる。
【００７０】
ユーザデータと制御データは、上位層（無線リソース制御部）２０７からデータ制御部２０１１に入力される。データ制御部２０１１は、入力されたデータをスケジューリング部２０５からの指示により、ＰＵＳＣＨやＰＵＣＣＨに配置する。また、この時、上りリンク参照信号も配置される。変調部２０１３は、データ変調を行ない、離散フーリエ変換（DFT:Discrete Fourier Transform）、サブキャリアマッピング、逆高速フーリエ変換（IFFT:Inverse Fast Fourier Transform）、ＣＰ（Cyclic Prefix）挿入、フィルタリングなどの信号処理を行ない、送信信号を生成する。そして、変調部２０１３は、変調された信号を無線送信部２０１５に出力する。無線送信部２０１５は、変調されたデータを無線周波数にアップコンバートした後に、アンテナ２０９を介して、基地局装置１に送信する。
【００７１】
無線受信部２０３１は、基地局装置１からの下りリンク信号を受信し、ベースバンド信号にダウンコンバートして、受信信号を復調部２０３３に出力する。復調部２０３３は、受信データを復調する。データ抽出部２０３５は、受信データをユーザデータと制御データに分離する。また、データ抽出部２０３５は、スケジューリング情報、ランダムアクセス応答メッセージや間欠受信制御に関する制御データやその他の第２層の制御データはスケジューリング部２０５に出力し、ユーザデータを上位層に出力する。
【００７２】
スケジューリング部２０５は、データ抽出部２０３５から入力された制御データを解析し、上りリンクのスケジューリング情報を生成し、そのスケジューリング情報を基に、ユーザデータや制御データをＰＵＳＣＨやＰＵＣＣＨに割り当てることをデータ制御部２０１１に指示する。また、スケジューリング部２０５は、参照信号制御部２０５１を有する。参照信号制御部２０５１は、基地局装置１から送信された参照信号設定情報を基に、基地局装置１に対して送信するＳＲＳの各種パラメータを設定する。
【００７３】
上位層（無線リソース制御部）２０７は、媒体メディア制御（MAC:Medium Access Control）層、無線リンク制御（RLC:Radio Link Control）層、パケットデータ収束プロトコル（PDCP:Packet Data Convergence Protocol）層、無線リソース制御（RRC:Radio Resource Control）層の処理を行なう。上位層（無線リソース制御部）２０７は、下位層の処理部を統合して制御するため、上位層（無線リソース制御部）２０７と、スケジューリング部２０５、アンテナ２０９、送信部２０１、受信部２０３との間のインターフェースが存在する（ただし、図示しない）。
【００７４】
図３は、本発明の第１の実施形態におけるＳＲＳリソース割り当てを示す概略図である。帯域幅の異なる複数の上りリンク要素周波数帯域（UL-CC:Uplink Component Carrier）で共通のＳＲＳ設定情報を設定する場合、図３のＡのように、参照信号制御部２０５１は、各上りリンク要素周波数帯域の帯域幅を超えていれば、ＳＲＳを送信しないように制御する。
【００７５】
図４は、本発明の第１の実施形態に係る移動局装置３のＳＲＳ送信制御方法を示すフローチャートである。参照信号制御部２０５１は、参照信号設定部で設定された参照信号設定情報（SRS設定情報）を基に、ＳＲＳの各パラメータを設定する（ステップＳ１０１）。次に、参照信号制御部２０５１は、上りリンク要素周波数帯域（UL-CC）毎に割り当てられるＳＲＳの帯域幅が各上りリンク要素周波数帯域の帯域幅を超えるか否かを確認する（ステップＳ１０２）。ＳＲＳ帯域幅が上りリンク要素周波数帯域の帯域幅を超える場合（ステップＳ１０２：YES）、参照信号制御部２０５１は、基地局装置１に対してＳＲＳを送信しないように制御する（ステップＳ１０３）。参照信号制御部２０５１は、ＳＲＳ帯域幅が上りリンク要素周波数帯域の帯域幅を超えないＳＲＳに対しては（ステップＳ１０２：NO）、基地局装置１に対してＳＲＳを送信するように制御する（ステップＳ１０４）。
【００７６】
＜第２の実施形態＞
次に、本発明の第２の実施形態について説明する。第２の実施形態における機器の機能構成は、第１の実施形態において示したものと同様であるので、ここではその説明を省略する。第２の実施形態では、ＳＲＳがリソース割り当てされる際や周波数ホッピングを行なう際に、ＳＲＳがカバーする帯域幅が上りリンク要素周波数帯域より広いと、上りリンク要素周波数帯域（UL-CC）の帯域幅の範囲を超えて割り当てられる場合がある。この時、上りリンク要素周波数帯域の帯域幅の範囲を超えて割り当てられたＳＲＳは他セル（他の上りリンク周波数帯域）への干渉になるため、移動局装置３は、ＳＲＳが上りリンク要素周波数帯域の範囲を超えてＳＲＳが割り当てられる場合にはＳＲＳを送信しないように制御することができる。また、上りリンク要素周波数帯域の範囲内にＳＲＳリソースが割り当てられる場合には、基地局装置１は、ＳＲＳが割り当て可能な帯域に関してチャネル測定を行なうことができる。
【００７７】
図５は、本発明の第２の実施形態におけるＳＲＳリソース割り当てを示す概略図である。移動局装置３は、ＳＲＳのリソース割り当て周波数位置を変更して送信する時、図５のＢのように、上りリンク要素周波数帯域の範囲を超えて割り当ててしまう場合がある。この時、移動局装置３は、ＳＲＳを送信しないように制御することで他の移動局装置３や他セルへの干渉を発生させないようにすることができる。
【００７８】
図６は、本発明の第２の実施形態に係る移動局装置３のＳＲＳ送信制御方法を示すフローチャートである。参照信号制御部２０５１は、参照信号設定部で設定された参照信号設定情報（SRS設定情報）を基に、ＳＲＳの各パラメータを設定する（ステップＳ２０１）。次に、参照信号制御部２０５１は、各上りリンク要素周波数帯域（UL-CC）に割り当てられるＳＲＳが各上りリンク要素周波数帯域の範囲を超えて割り当てられているか否かを確認する（ステップＳ２０２）。ＳＲＳが上りリンク要素周波数帯域の範囲を超えて割り当てられている場合（ステップＳ２０２：YES）、参照信号制御部２０５１は、基地局装置１に対してＳＲＳを送信しないように制御する（ステップＳ２０３）。参照信号制御部２０５１は、ＳＲＳが上りリンク要素周波数帯域の範囲を超えないＳＲＳに対しては（ステップＳ２０２：NO）、基地局装置１に対してＳＲＳを送信するように制御する（ステップＳ２０４）。
【００７９】
＜第３の実施形態＞
次に、本発明の第３の実施形態について説明する。第３の実施形態における機器の機能構成は、第１の実施形態において示したものと同様であるので、ここではその説明を省略する。第３の実施形態では、ＳＲＳ帯域幅インデックスに設定されているＳＲＳの最大帯域幅が上りリンク要素周波数帯域の帯域幅を超える場合には、他セルへの干渉を避けるため、移動局装置３はＳＲＳを送信しないように制御することができる。また、第３の実施形態は、ＳＲＳのホッピング帯域幅が上りリンク要素周波数帯域の帯域幅を超える場合にもＳＲＳを送信しないように制御することができる。
【００８０】
図７は、本発明の第３の実施形態におけるＳＲＳリソース割り当てを示す概略図である。表１に示したｂ０はＳＲＳ帯域幅表のインデックスにおけるＳＲＳ最大帯域幅を示している。レベルｂ２やｂ３を選択してもｂ０の範囲内にＳＲＳを割り当てることになる。図７のＣのように、ｂ０のＳＲＳ帯域幅（例えばｃ００）が上りリンク要素周波数帯域（UL-CC）の帯域幅を超える場合、ＳＲＳも上りリンク要素周波数帯域の範囲を超えて割り当てられる可能性がある。移動局装置３は、ＳＲＳが上りリンク要素周波数帯域の範囲を超えて割り当てられた場合の他セルへの干渉を考慮して、ｂ０のＳＲＳ帯域幅（例えば表１のｃ００）が上りリンク要素周波数帯域（UL-CC）の帯域幅を超える場合、ＳＲＳを送信しないように制御することができる。一方、図７のＤのように、ｂ０のＳＲＳ帯域幅が上りリンク要素周波数帯域（UL-CC）の帯域幅を超えない場合、ＳＲＳが上りリンク要素周波数帯域の範囲を超えて割り当てられる可能性はない。
【００８１】
図８は、本発明の第３の実施形態に係る移動局装置３のＳＲＳ送信制御方法を示すフローチャートである。参照信号制御部２０５１は、参照信号設定部で設定された参照信号設定情報（SRS設定情報）を基に、ＳＲＳの各パラメータを設定する（ステップＳ３０１）。次に、参照信号制御部２０５１は、上りリンク要素周波数帯域（UL-CC）毎に割り当てられるＳＲＳの最大帯域幅が各上りリンク要素周波数帯域の帯域幅を超えるか否かを確認する（ステップＳ３０２）。ＳＲＳの最大帯域幅が上りリンク要素周波数帯域の帯域幅を超える場合（ステップＳ３０２：YES）、参照信号制御部２０５１は、基地局装置１に対してＳＲＳを送信しないように制御する（ステップＳ３０３）。参照信号制御部２０５１は、ＳＲＳの最大帯域幅が上りリンク要素周波数帯域の帯域幅を超えないＳＲＳに対しては（ステップＳ３０２：NO）、基地局装置１に対してＳＲＳを送信するように制御する（ステップＳ３０４）。
【００８２】
＜第４の実施形態＞
次に、本発明の第４の実施形態について説明する。第４の実施形態における機器の機能構成は、第１の実施形態において示したものと同様であるので、ここではその説明を省略する。第４の実施形態では、ＳＲＳ帯域幅表におけるインデックスの最大帯域幅が上りリンク要素周波数帯域の帯域幅を超える場合には、インデックスの最大帯域幅が上りリンク要素周波数帯域の帯域幅以下になるように、インデックスを変更することができる。
【００８３】
図９は、本発明の第４の実施形態におけるＳＲＳリソース割り当てを示す概略図である。図９のＥのように、インデックスに設定されているＳＲＳの最大帯域幅（ｂ０のSRS帯域幅）が上りリンク要素周波数帯域を超えている場合、ＳＲＳのインデックスのみを変更することができる。そうすることで、移動局装置３は、ＳＲＳを上りリンク要素周波数帯域内に割り当てやすくなる。ただし、基地局装置１で設定された帯域幅表のインデックスとレベルによっては上りリンク要素周波数帯域の範囲を超えて割り当てられることもあるため、他セルへの干渉を回避するために、移動局装置３は、ＳＲＳを送信しないように制御する必要がある。
【００８４】
図１０は、本発明の第４の実施形態に係る移動局装置３のＳＲＳ送信制御方法を示すフローチャートである。参照信号制御部２０５１は、参照信号設定部で設定された参照信号設定情報（SRS設定情報）を基に、ＳＲＳの各パラメータを設定する（ステップＳ４０１）。次に、参照信号制御部２０５１は、各上りリンク要素周波数帯域（UL-CC）に割り当てられるインデックスの最大帯域幅が各上りリンク要素周波数帯域の帯域幅を超えるか否かを確認する（ステップＳ４０２）。インデックスの最大帯域幅が上りリンク要素周波数帯域の帯域幅を超える場合（ステップＳ４０２：YES）、参照信号制御部２０５１は、インデックスの最大帯域幅が上りリンク要素周波数帯域の帯域幅以下になるＳＲＳ帯域幅表のインデックスを設定する（ステップＳ４０３）。参照信号制御部２０５１は、インデックスの最大帯域幅が上りリンク要素周波数帯域の帯域幅を超えないＳＲＳに対しては（ステップＳ４０２：NO）、基地局装置１に対してＳＲＳを送信するように制御する（ステップＳ４０４）。
【００８５】
＜第５の実施形態＞
次に、本発明の第５の実施形態について説明する。第５の実施形態における機器の機能構成は、第１の実施形態において示したものと同様であるので、ここではその説明を省略する。本発明ではＳＲＳ帯域幅が上りリンク要素周波数帯域の帯域幅を超える場合に、ＳＲＳを送信しないように制御するが、そうすると基地局装置１が設定情報を変更するまで該上りリンク要素周波数帯域に対応するＳＲＳは送信できなくなる。すなわち、上りリンク要素周波数帯域のチャネル測定を行なうことはできなくなり、無線リソース（上りリンク要素周波数帯域）を有効に活用できなくなる。そのような事態を回避するために、第５の実施形態では、ＳＲＳ帯域幅が上りリンク要素周波数帯域の帯域幅を超えていると判定した場合に、移動局装置３は、ＳＲＳリソース割り当て誤りが生じたと認識し、基地局装置１に対してＳＲＳリソース割り当て誤りが生じたことを通知する。ＳＲＳリソース割り当て誤りを通知された基地局装置１は、移動局装置３のＳＲＳの再設定を行なうことができる。
【００８６】
図１１は、本発明の第５の実施形態におけるＳＲＳリソース割り当てを示す概略図である。ＳＲＳ帯域幅が上りリンク要素周波数帯域の帯域幅を超える場合には、移動局装置３は、ＳＲＳを送信しないように制御する。ただし、移動局装置３が、一度ＳＲＳを送信しないように設定すると、その上りリンク要素周波数帯域ではＳＲＳを送信しなくなるため、基地局装置１は、その上りリンク要素周波数帯域のチャネル測定を行なうことができなくなる。図１１のＦのように、基地局装置１がＳＲＳ設定情報の再設定を行なうまで、移動局装置３はＳＲＳを送信できない。それを回避するために、移動局装置３は、基地局装置１に対してＳＲＳ設定情報の再設定要求を行なう。図１１のＧのように、基地局装置１は、その通知を受けて、ＳＲＳ設定情報を再設定する。また、ＳＲＳ設定情報を移動局装置３に対して送信し、移動局装置３は、再設定されたＳＲＳ設定情報を基に、ＳＲＳを設定する。
【００８７】
図１２は、本発明の第５の実施形態に係る移動局装置３と基地局装置１のＳＲＳ再設定要求手順を示すシーケンスチャートである。基地局装置１の参照信号設定部は、セル内の移動局装置３のスケジューリング等を考慮して、各移動局装置３に割り当てる参照信号設定情報（SRS設定情報）を設定する（ステップＳ５０１）。基地局装置１の送信部１０１は、参照信号設定情報を移動局装置３に対して送信する（ステップＳ５０２）。移動局装置３の受信部２０３は、参照信号設定情報を受信し、参照信号制御部２０５１は、参照信号設定情報を基に、参照信号を設定する（ステップＳ５０３）。参照信号制御部２０５１は、参照信号の帯域幅が上りリンク要素周波数帯域の帯域幅を超える場合など、ＳＲＳを送信できないと判定した（ステップＳ５０４）場合には、基地局装置１に対して参照信号再設定要求を行なう（ステップＳ５０５）。
【００８８】
参照信号再設定要求を通知された参照信号設定部は、参照信号の帯域幅が上りリンク要素周波数帯域の帯域幅を超えないように参照信号設定情報を再設定する（ステップＳ５０６）。基地局装置１の送信部１０１は、再設定した参照信号設定情報を移動局装置３に対して送信する（ステップＳ５０７）。移動局装置３の受信部２０３は、参照信号設定情報を受信し、参照信号制御部２０５１は、受信した参照信号設定情報を基に、参照信号を再設定する（ステップＳ５０８）。移動局装置３の送信部２０１は、再設定した参照信号を基地局装置１に対して送信する（ステップＳ５０９）。
【００８９】
なお、上述した実施形態における基地局装置１と移動局装置３の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。
【００９０】
なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９１】
また、上述した実施形態における移動局装置３および基地局装置１の一部、または全部を典型的には集積回路であるＬＳＩ（Large Scale Integration）として実現してもよい。移動局装置３および基地局装置１の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００９２】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【００９３】
１  基地局装置
３  移動局装置
１０１  送信部（基地局側送信部）
１０３  受信部（基地局側受信部）
２０１  送信部（移動局側送信部）
２０３  受信部（移動局側受信部）
１０５１  参照信号設定部
２０５１  参照信号制御部
【図１】
2011142489.tif 000004
【図２】
2011142489.tif 000005
【図３】
2011142489.tif 000006
【図４】
2011142489.tif 000007
【図５】
2011142489.tif 000008
【図６】
2011142489.tif 000009
【図７】
2011142489.tif 000010
【図８】
2011142489.tif 000011
【図９】
2011142489.tif 000012
【図１０】
2011142489.tif 000013
【図１１】
2011142489.tif 000014
【図１２】
2011142489.tif 000015
【図１３】
2011142489.tif 000016
【図１４】
2011142489.tif 000017